(57)【特許請求の範囲】
【請求項１】
コンピュータが実行する、
ユーザが使用するユーザ端末から、前記ユーザを識別し、コード決済を運営する事業者が前記ユーザに付与した第１ユーザ識別情報と、前記第１ユーザ識別情報に関連付けられている、前記ユーザを識別し、特典を管理する事業者が前記ユーザに付与した第２ユーザ識別情報に対応する事業者を識別する事業者識別情報とを受信するステップと、
前記第１ユーザ識別情報に関連付けられており、受信した前記事業者識別情報に対応する前記第２ユーザ識別情報に対応する前記特典を取得するステップと、
取得した前記特典を前記ユーザ端末に送信するステップと、
前記ユーザ端末から、前記特典のうち、ユーザが使用する前記特典である使用特典と、前記ユーザが店舗で決済するための決済用コードの発行要求とを受信するステップと、
前記決済用コードの発行要求を受信すると、前記第１ユーザ識別情報に対応した前記決済用コードを生成するための決済用トークンを前記ユーザ端末に送信するステップと、
前記決済用トークンに基づいて前記ユーザ端末が表示した前記決済用コードを読み取った店舗端末から、前記決済用トークンと、前記ユーザの前記店舗における決済金額とを受信するステップと、
前記店舗端末から受信した前記決済金額と、前記店舗端末から受信した前記決済用トークンに対応する前記第１ユーザ識別情報及び前記使用特典とに基づいて決済を実行するステップと、
を有する決済処理方法。
【請求項２】
前記特典を取得するステップにおいて、前記コンピュータは、前記コード決済を運営する事業者とは異なる、前記特典を管理する事業者が前記ユーザに付与した前記第２ユーザ識別情報に対応する特典を取得する、
請求項１に記載の決済処理方法。
【請求項３】
前記コンピュータが、前記決済用コードの発行要求を受信すると、前記決済用トークンと、前記使用特典とを、前記特典を管理する特典管理装置に送信するステップと、
前記店舗端末が、前記決済用トークンと、前記決済金額とを前記特典管理装置に送信するステップと、
前記特典管理装置が、前記店舗端末から受信した前記決済用トークンと前記コンピュータから受信した前記決済用トークンとが一致する場合に、前記店舗端末から受信した前記決済金額と、前記コンピュータから受信した前記使用特典とに基づいて、受信した決済金額を更新し、更新後の前記決済金額を前記店舗端末に送信するステップと、
前記店舗端末が、前記決済用トークンと、前記特典管理装置から受信した前記決済金額とを含む決済要求を前記コンピュータに送信するステップと、
をさらに備える、
請求項１又は２に記載の決済処理方法。
【請求項４】
前記特典を取得するステップは、前記第１ユーザ識別情報と、前記第２ユーザ識別情報とを関連付けて記憶する記憶部を参照し、取得した前記第１ユーザ識別情報に関連付けられている前記第２ユーザ識別情報を特定し、特定した前記第２ユーザ識別情報に対応する特典を取得する、
請求項１から３のいずれか１項に記載の決済処理方法。
【請求項５】
前記特典を取得するステップは、前記特典を管理する特典管理装置に前記第２ユーザ識別情報を送信し、前記特典管理装置から、前記第２ユーザ識別情報に対応する前記特典を受信し、
前記特典管理装置が、前記コンピュータから受信した前記第２ユーザ識別情報に対応する前記特典を前記コンピュータに送信するステップをさらに有する、
請求項１から４のいずれか１項に記載の決済処理方法。
【請求項６】
前記コンピュータが実行する、前記店舗端末から前記決済用トークンを受信すると、前記使用特典が有効であるか否かを前記特典を管理する特典管理装置に問い合わせるステップをさらに有し、
前記決済を実行するステップにおいて、前記コンピュータは、前記使用特典が有効であると前記特典管理装置が判定すると、前記店舗端末から受信した前記決済金額と、前記店舗端末から受信した前記決済用トークンに対応する前記第１ユーザ識別情報及び前記使用特典とに基づいて決済を実行する、
請求項１から５のいずれか１項に記載の決済処理方法。
【請求項７】
前記特典を取得するステップにおいて、前記コンピュータは、前記第１ユーザ識別情報に関連付けられている複数の前記第２ユーザ識別情報のうち、受信した前記事業者識別情報に対応する前記第２ユーザ識別情報の前記特典を取得する、
請求項１から６のいずれか１項に記載の決済処理方法。
【請求項８】
コンピュータが実行する、
ユーザが使用するユーザ端末から、前記ユーザを識別し、コード決済を運営する事業者が前記ユーザに付与した第１ユーザ識別情報に関連付けられている、前記ユーザを識別し、特典を管理する事業者が前記ユーザに付与した第２ユーザ識別情報と、前記第２ユーザ識別情報に対応し、前記ユーザが使用する前記特典である使用特典と、前記ユーザが店舗で決済するための決済用コードの発行要求とを受信するステップと、
前記決済用コードの発行要求を受信すると、前記ユーザ端末に、前記決済用コードを生成するための決済用トークンを送信するステップと、
前記決済用トークンに基づいて前記ユーザ端末が表示した前記決済用コードを読み取った店舗端末から、前記決済用トークンと、前記ユーザの前記店舗における決済金額とを受信するステップと、
前記ユーザ端末から受信した前記第２ユーザ識別情報に関連付けられている前記第１ユーザ識別情報と、前記ユーザ端末から受信した前記使用特典と、前記店舗端末から受信した前記決済金額とに基づいて決済を実行するステップと、
を有する決済処理方法。
【請求項９】
前記決済用トークンを送信するステップにおいて、前記コンピュータは、前記第１ユーザ識別情報と、前記第２ユーザ識別情報とを関連付けて記憶する記憶部を参照し、受信した前記第２ユーザ識別情報に関連付けられている前記第１ユーザ識別情報が存在することを条件として、前記ユーザ端末に前記決済用トークンを送信する、
請求項８に記載の決済処理方法。
【請求項１０】
決済用コードの発行要求を受信するステップにおいて、前記コンピュータは、前記ユーザ端末から、前記第２ユーザ識別情報と、前記第２ユーザ識別情報に関連付けられている前記第１ユーザ識別情報とを受信する、
請求項８に記載の決済処理方法。
【請求項１１】
前記コンピュータが実行する、前記店舗端末から前記決済用トークンを受信すると、前記使用特典が有効であるか否かを前記特典を管理する特典管理装置に問い合わせるステップをさらに有し、
前記決済を実行するステップにおいて、前記コンピュータは、前記使用特典が有効であると前記特典管理装置が判定すると、前記店舗端末から受信した前記決済金額と、前記店舗端末から受信した前記決済用トークンに対応する前記第１ユーザ識別情報及び前記使用特典とに基づいて決済を実行する、
請求項８から１０のいずれか１項に記載の決済処理方法。
【請求項１２】
前記第１ユーザ識別情報を受信するステップにおいて、前記コンピュータは、前記ユーザから前記第２ユーザ識別情報に対応する事業者を識別する事業者識別情報をさらに受信し、
前記特典を取得するステップにおいて、前記コンピュータは、前記第１ユーザ識別情報に関連付けられており、受信した前記事業者識別情報に対応する前記第２ユーザ識別情報の前記特典を取得する、
請求項８から１１のいずれか１項に記載の決済処理方法。
【発明の詳細な説明】
【技術分野】
【０００１】
本発明は、決済処理方法に関する。
【背景技術】
【０００２】
ＱＲコード（登録商標）等の二次元バーコードを用いたコード決済が普及している（例えば、特許文献１、特許文献２を参照）。コード決済は、店舗側が表示した二次元バーコードをユーザ端末により読み取るか、ユーザ端末が表示した二次元バーコードを店舗側が読み取ることにより決済が行われる。
【先行技術文献】
【特許文献】
【０００３】
【特許文献１】特許６５２８１６０号公報
【特許文献２】特許６４７３５３９号公報
【発明の概要】
【発明が解決しようとする課題】
【０００４】
コード決済では、店舗が発行した割引等の購入金額を低くするための特典をユーザが利用する場合、ユーザが店舗に特典を提示する必要がある。そして、店舗のシステムで、特典が適用された購入金額が算出された後に、ユーザが、当該購入金額に対してコード決済を進める必要がある。このため、ユーザが会計時に特典の提示操作と、コード決済を進める操作とを行う必要があり、ユーザの作業負荷が大きいという問題があった。
【０００５】
そこで、本発明はこれらの点に鑑みてなされたものであり、会計時におけるユーザの作業負荷を軽減することができる決済処理方法を提供することを目的とする。
【課題を解決するための手段】
【０００６】
本発明の第１の態様に係る決済処理方法は、コンピュータが実行する、ユーザが使用するユーザ端末から、前記ユーザを識別する第１ユーザ識別情報を受信するステップと、前記第１ユーザ識別情報に関連付けられている前記ユーザを識別する第２ユーザ識別情報に対応する特典を取得するステップと、取得した前記特典を前記ユーザ端末に送信するステップと、前記ユーザ端末から、前記特典のうち、ユーザが使用する前記特典である使用特典と、前記ユーザが店舗で決済するための決済用コードの発行要求とを受信するステップと、前記決済用コードの発行要求を受信すると、前記第１ユーザ識別情報に対応した前記決済用コードを生成するための決済用トークンを前記ユーザ端末に送信するステップと、前記決済用トークンに基づいて前記ユーザ端末が表示した前記決済用コードを読み取った店舗端末から、前記決済用トークンと、前記ユーザの前記店舗における決済金額とを受信するステップと、前記店舗端末から受信した前記決済金額と、前記店舗端末から受信した前記決済用トークンに対応する前記第１ユーザ識別情報及び前記使用特典とに基づいて決済を実行するステップと、を有する。
【０００７】
本発明の第２の態様に係る決済処理方法は、コンピュータが実行する、ユーザが使用するユーザ端末から、前記ユーザを識別する第１ユーザ識別情報に関連付けられている前記ユーザを識別する第２ユーザ識別情報と、前記第２ユーザ識別情報に対応し、前記ユーザが使用する特典である使用特典と、前記ユーザが店舗で決済するための決済用コードの発行要求とを受信するステップと、前記決済用コードの発行要求を受信すると、前記ユーザ端末に、前記決済用コードを生成するための決済用トークンを送信するステップと、前記決済用トークンに基づいて前記ユーザ端末が表示した前記決済用コードを読み取った店舗端末から、前記決済用トークンと、前記ユーザの前記店舗における決済金額とを受信するステップと、前記ユーザ端末から受信した前記第２ユーザ識別情報に関連付けられている前記第１ユーザ識別情報と、前記ユーザ端末から受信した前記使用特典と、前記店舗端末から受信した前記決済金額とに基づいて決済を実行するステップと、を有する。
【発明の効果】
【０００８】
本発明によれば、会計時におけるユーザの作業負荷を軽減することができるという効果を奏する。
【図面の簡単な説明】
【０００９】
【図１】第１実施形態に係る決済システムの概要を示す図である。
【図２】第１実施形態に係る決済処理装置の機能構成を示す図である。
【図３】ユーザ連携情報の一例を示す図である。
【図４】第１実施形態に係るユーザ端末の機能構成を示す図である。
【図５】第１実施形態に係る店舗端末の機能構成を示す図である。
【図６】第１実施形態に係る特典管理装置の機能構成を示す図である。
【図７】第１実施形態に係る決済システムの動作シーケンス図である。
【図８】図７に続く動作シーケンス図である。
【図９】第１実施形態の変形例に係る決済システムの動作シーケンス図である。
【図１０】第２実施形態に係る決済システムの動作シーケンス図である。
【発明を実施するための形態】
【００１０】
＜第１実施形態＞
［決済システムＳの概要］
図１は、第１実施形態に係る決済システムＳの概要を示す図である。決済システムＳは、ユーザが店舗において商品を購入する場合に、ユーザが所持するユーザ端末からの要求に応じて決済用コードをユーザ端末に表示させ、店舗側で決済用コードが読み込まれたことに応じて決済を行うシステムである。決済用コードは、店舗での精算に用いられる店舗側の端末において読み取れるテキスト又は画像であり、決済時に用いられるコードである。
【００１１】
決済システムＳは、決済処理装置１と、ユーザ端末２と、店舗端末３と、特典管理装置としてのポイント管理装置４とを備える。決済処理装置１は、購入金額の決済を行うサーバである。ユーザ端末２は、ユーザが使用する情報端末であり、例えばスマートフォン、タブレット又はパーソナルコンピュータである。店舗端末３は、例えばＰＯＳ端末である。
【００１２】
ポイント管理装置４は、例えば、店舗において使用可能な特典を管理するサーバである。特典は、例えば、決済時に店舗における購入額を割引するためのポイントやクーポンである。本実施形態では、特典がポイントであるものとして説明を進める。ポイント管理装置４は、ポイントを管理する事業者により管理されている。図１に示す例では、ポイント管理装置４が１つのみ示されているが、複数の事業者それぞれが管理するポイント管理装置４が存在するものとする。
以下、図１を参照しながら、決済が完了するまでの流れを説明する。
【００１３】
ユーザは、店舗で商品等の購入を行う際に、ポイントの使用を行うにあたり、決済用のアプリケーションソフトウェアを事前に起動し、ユーザが使用可能なポイントを示すポイント情報をユーザ端末２に表示させるための操作を行う。ユーザ端末２は、コード決済で使用されるユーザを識別する第１ユーザＩＤと、ポイント情報の取得要求とを決済処理装置１に送信する（図１における（１））。第１ユーザＩＤは、コード決済を運営する事業者がユーザに付与したユーザＩＤである。
【００１４】
決済処理装置１では、第１ユーザＩＤと、ユーザを識別する一以上の第２ユーザＩＤとが関連付けられて記憶されている。第２ユーザＩＤは、ユーザにポイントを付与可能とするために、ポイントを管理する事業者がユーザに付与したユーザＩＤである。第２ユーザＩＤは、ポイント管理装置４において、ユーザに付与されたポイントと関連付けられている。
【００１５】
決済処理装置１は、第１ユーザＩＤと、ポイント情報の取得要求とを取得すると、第１ユーザＩＤに関連付けられている第２ユーザＩＤに対応するポイントをポイント管理装置４に問い合わせ、当該第２ユーザＩＤに対応するポイントを特定する（図１における（２））。決済処理装置１は、特定したポイントを示すポイント情報をユーザ端末２に送信する（図１における（３））。ユーザ端末２は、受信したポイント情報を表示し、ユーザから使用するポイントを受け付ける。
【００１６】
その後、ユーザは、店舗に移動し、店舗において商品の購入を行う。ユーザは、店舗において会計を行う場合に、決済用のアプリケーションソフトウェアを起動し、決済用コードをユーザ端末２に表示させるための操作を行う。ユーザ端末２は、決済用コードを表示させるための操作を受け付けると、ユーザが使用するポイントである使用ポイントと、第１ユーザＩＤと、決済用コードの発行要求とを決済処理装置１に送信する（図１における（４））。
【００１７】
決済処理装置１は、ユーザ端末２から、使用ポイントと、第１ユーザＩＤと、決済用コードの発行要求とを受信すると、決済用トークンを生成する（図１における（５））。決済用トークンは、ユーザが店舗で提示する決済用コードをユーザ端末２が生成する際に用いるデータ列である。決済処理装置１は、生成した決済用トークンと、第１ユーザＩＤと、使用ポイントとを関連付けて記憶媒体に記憶する（図１における（６））。
【００１８】
決済処理装置１は、生成した決済用トークンをユーザ端末２に送信する（図１における（７））。決済処理装置１は、決済用トークンを暗号化した後に、暗号化した決済用トークンをユーザ端末２に送信してもよい。
【００１９】
ユーザ端末２は、受信した決済用トークンに基づいて決済用コードを生成して表示させる（図１における（８））。
ユーザは、店舗のレジで商品の購入代金を精算する際に決済用コードを提示する。そして、例えば店員の操作により、店舗端末３が、ユーザ端末２に表示された決済用コードを読み取る（図１における（９））。
【００２０】
店舗端末３は、ユーザが購入する商品の合計額を示す店舗における決済金額と、読み取った決済用コードが示す決済用トークンと、店舗を識別する店舗ＩＤとを含む決済要求を決済処理装置１に送信する（図１における（１０））。
【００２１】
決済処理装置１は、店舗端末３から決済要求を受信すると、受信した決済要求に含まれる決済用トークンが、ユーザ端末２に送信した決済用トークンと一致するか否かを判定する。決済処理装置１は、決済用トークンが一致すると判定した場合に、決済用トークンと関連付けられている使用ポイントと、第１ユーザＩＤと、受信した決済要求とに基づいて決済処理を実行する（図１における（１１））。
【００２２】
決済システムＳが以上のように動作することで、ユーザは、会計時に特典情報としてのポイントの使用を店舗に提示することなく、ポイントを適用した商品等の購入ができるので、会計時におけるユーザの作業負荷を軽減することができる。
以下、決済処理装置１、ユーザ端末２、店舗端末３及びポイント管理装置４の構成の詳細を説明する。
【００２３】
［決済処理装置１の機能構成］
図２は、第１実施形態に係る決済処理装置１の機能構成を示す図である。決済処理装置１は、通信部１１と、記憶部１２と、制御部１３とを有する。
【００２４】
通信部１１は、インターネット等のネットワークを介してユーザ端末２及び店舗端末３とデータを送受信するための通信インターフェースである。
【００２５】
記憶部１２は、各種のデータを記憶する記憶媒体であり、ＲＯＭ（Read Only Memory）、ＲＡＭ（Random Access Memory）、及びハードディスク等を有する。記憶部１２は、制御部１３が実行するプログラムを記憶する。記憶部１２は、制御部１３を、ポイント情報送信部１３１、発行要求取得部１３２、トークン送信部１３３、決済用情報受信部１３４、及び決済処理部１３５として機能させる決済用プログラムを記憶する。
【００２６】
また、記憶部１２は、第１ユーザＩＤと、第２ユーザＩＤと、第２ユーザＩＤに対応するポイントを管理する事業者を識別する事業者ＩＤとを関連付けたユーザ連携情報を記憶する。図３は、ユーザ連携情報の一例を示す図である。図３に示すように、第１ユーザＩＤに、一以上の事業者ＩＤ及び第２ユーザＩＤが関連付けられていることが確認できる。
【００２７】
制御部１３は、例えばＣＰＵ（Central Processing Unit）である。制御部１３は、記憶部１２に記憶された決済用プログラムを実行することにより、ポイント情報送信部１３１、発行要求取得部１３２、トークン送信部１３３、決済用情報受信部１３４、及び決済処理部１３５として機能する。制御部１３の各部の動作の詳細については後述する。
【００２８】
［ユーザ端末２の機能構成］
図４は、第１実施形態に係るユーザ端末２の機能構成を示す図である。ユーザ端末２は、操作部２１と、通信部２２と、表示部２３と、記憶部２４と、制御部２５とを有する。制御部２５は、操作受付部２５１と、要求送信部２５２と、コード生成部２５３とを有する。
【００２９】
操作部２１は、ユーザの操作を受け付ける操作デバイスであり、例えば表示部２３の表面に設けられたタッチパネルである。操作部２１は、ユーザがタッチした位置を示す信号を操作受付部２５１に通知する。
【００３０】
通信部２２は、例えば携帯電話網の基地局との間でデータを送受信するための無線通信インターフェースである。通信部２２は、決済処理装置１から受信した決済用トークン等をコード生成部２５３に入力する。
【００３１】
表示部２３は、各種の情報を表示するディスプレイである。表示部２３は、コード生成部２５３の制御に基づいて、決済用コードを表示する。
【００３２】
記憶部２４は、ＲＯＭ及びＲＡＭ等を含む記憶媒体である。記憶部２４は、制御部２５が実行するプログラムを記憶している。記憶部２４は、制御部２５を、操作受付部２５１、要求送信部２５２及びコード生成部２５３として機能させるプログラムを記憶する。また、記憶部２４は、決済処理装置１から受信した決済用トークン、及び決済用トークンに基づいて生成された決済用コード等を記憶する。
【００３３】
制御部２５は、例えばＣＰＵであり、記憶部２４に記憶されたプログラムを実行することにより、操作受付部２５１、要求送信部２５２及びコード生成部２５３として機能する。
【００３４】
操作受付部２５１は、操作部２１から入力された信号に基づいて、ユーザの操作内容を特定する。操作受付部２５１は、特定した操作内容が、ポイント情報を使用するための操作である場合に、操作内容を要求送信部２５２に通知する。要求送信部２５２は、操作受付部２５１がポイント情報を使用するための操作を受け付けた場合に、通信部２２を介して、第１ユーザＩＤと、ポイント情報の取得要求とを決済処理装置１に送信する。操作受付部２５１は、通信部２２が決済処理装置１から受信したポイント情報を表示部２３に表示させ、ユーザから使用ポイントを受け付ける。
【００３５】
操作受付部２５１は、特定した操作内容が、決済用コードをユーザ端末２に表示させるための操作である場合に、操作内容を要求送信部２５２に通知する。要求送信部２５２は、操作受付部２５１が、決済用コードをユーザ端末２に表示させるための操作を受け付けた場合に、通信部２２を介して、使用ポイントと、第１ユーザＩＤと、決済用コードの発行要求とを決済処理装置１に送信する。
【００３６】
コード生成部２５３は、決済処理装置１から決済用トークンが送信されると、決済用トークンに基づく決済用コードを生成する。コード生成部２５３は、例えば、予め定められた規則に基づいて決済用コードを生成する。コード生成部２５３は、生成した決済用コードを表示部２３に表示させる。
【００３７】
［店舗端末３の機能構成］
図５は、第１実施形態に係る店舗端末３の機能構成を示す図である。店舗端末３は、操作部３１と、読取部３２と、通信部３３と、表示部３４と、記憶部３５と、制御部３６とを有する。
【００３８】
操作部３１は、ユーザの操作を受け付ける操作デバイスであり、例えばユーザが購入する商品を選択するためのボタンや、表示部３４の表面に設けられたタッチパネルである。
【００３９】
読取部３２は、例えば、バーコードリーダ及びカメラであり、ユーザが購入する商品に付されているバーコードや、ユーザ端末２が表示した決済用コードを読み取る。読取部３２は、読み取ったバーコード及び決済用コードが示す情報を制御部３６に出力する。
【００４０】
通信部３３は、例えば決済処理装置１との間でデータを送受信するための通信インターフェースである。通信部３３は、制御部３６の制御に応じて、決済用トークン、決済金額、店舗ＩＤを決済処理装置１に送信する。
【００４１】
表示部３４は、各種の情報を表示するディスプレイである。表示部３４は、例えば、決済金額を表示する。
【００４２】
記憶部３５は、ＲＯＭ及びＲＡＭ等を含む記憶媒体である。記憶部３５は、制御部３６が実行するプログラムを記憶している。記憶部３５は、制御部３６を、決済用情報生成部３６１、トークン取得部３６２、及び決済用情報送信部３６３として機能させるプログラムを記憶する。また、記憶部３５は、商品ＩＤと、商品の価格とを関連付けた商品ＤＢを記憶する。
【００４３】
制御部３６は、例えばＣＰＵであり、記憶部３５に記憶されたプログラムを実行することにより、決済用情報生成部３６１、トークン取得部３６２、及び決済用情報送信部３６３として機能する。
【００４４】
決済用情報生成部３６１は、決済対象の一以上の商品を特定し、決済情報を生成する。具体的には、決済用情報生成部３６１は、操作部３１において店員が入力した商品ＩＤ又は読取部３２が商品に付されたバーコードから読み取った商品ＩＤを取得することにより、取得した商品ＩＤの商品を決済対象の商品と特定する。決済用情報生成部３６１は、記憶部３５に記憶されている商品ＤＢを参照し、取得した商品ＩＤに関連付けられている商品の価格を特定する。決済用情報生成部３６１は、操作部３１において店員が入力した商品ＩＤ又は読取部３２が商品に付されたバーコードから読み取った商品ＩＤを一以上取得し、当該商品ＩＤから特定した商品の価格を集計する。決済用情報生成部３６１は、操作部３１において精算操作を受け付けると、集計した商品の価格を決済金額に決定する。
【００４５】
トークン取得部３６２は、読取部３２が、ユーザ端末２に表示された決済用コードを読み取ることにより、決済用コードから抽出した情報を、決済用トークンとして取得する。
決済用情報送信部３６３は、決済用情報生成部３６１が決済情報を生成し、トークン取得部３６２が決済用トークンを取得すると、通信部３３を介して、決済用トークンと、決済金額と、店舗を識別する店舗ＩＤとを決済処理装置１に送信する。
【００４６】
［ポイント管理装置４の機能構成］
図６は、第１実施形態に係るポイント管理装置４の機能構成を示す図である。ポイント管理装置４は、通信部４１と、記憶部４２と、制御部４３とを有する。
【００４７】
通信部４１は、例えば決済処理装置１及び店舗端末３との間でデータを送受信するための通信インターフェースである。
記憶部４２は、ＲＯＭ及びＲＡＭ等を含む記憶媒体である。記憶部４２は、制御部４３が実行するプログラムを記憶している。記憶部４２は、制御部４３を、ポイント特定部４３１、有効性判定部４３２、決済金額更新部４３３、及びポイント更新部４３４として機能させるプログラムを記憶する。また、記憶部３５は、第２ユーザＩＤと、第２ユーザＩＤのユーザに付与されているポイントと、ポイントの有効期限とを関連付けたポイントＤＢを記憶する。
【００４８】
制御部４３は、例えばＣＰＵであり、記憶部４２に記憶されたプログラムを実行することにより、ポイント特定部４３１、有効性判定部４３２、決済金額更新部４３３、及びポイント更新部４３４として機能する。
【００４９】
ポイント特定部４３１は、決済処理装置１から、第２ユーザＩＤを含むポイント情報の取得要求を受信すると、ポイントＤＢを参照して、当該第２ユーザＩＤに関連付けられているポイントを特定する。ポイント特定部４３１は、特定したポイントを示すポイント情報を決済処理装置１に送信する。
【００５０】
有効性判定部４３２は、決済処理装置１から第２ユーザＩＤと、使用ポイントと、決済金額とを受信すると、受信した使用ポイントが有効であるか否かを判定する。例えば、有効性判定部４３２は、受信した使用ポイントが、受信した第２ユーザＩＤに関連付けられているポイントを超えているか否かに基づいて、受信した使用ポイントが有効であるか否かを判定する。また、有効性判定部４３２は、受信した第２ユーザＩＤに関連付けられているポイントの有効期限に基づいて使用ポイントが有効であるか否かを判定する。
【００５１】
なお、記憶部４２に、ポイントを使用可能な決済金額の範囲をポイント使用条件として記憶させておき、有効性判定部４３２が、決済処理装置１から受信した決済金額に基づいて、使用ポイントの有効性を判定してもよい。
【００５２】
また、有効性判定部４３２は、決済処理装置１から、店舗ＩＤや決済日時を示す情報をさらに受信し、これらの情報に基づいて、使用ポイントの有効性を判定してもよい。例えば、記憶部４２に、ポイントを使用可能な店舗の店舗ＩＤを記憶させておき、有効性判定部４３２が、受信した店舗ＩＤが記憶部４２に記憶されている場合に使用ポイントを使用可能かを判定してもよい。また、記憶部４２に、ポイントを使用可能な決済日時（例えばポイントを使用可能なキャンペーン期間等）、又はポイントを使用できない決済日時を記憶させておき、これらの情報に基づいて、受信した決済日時において使用ポイントが使用可能かを判定してもよい。
【００５３】
決済金額更新部４３３は、有効性判定部４３２の判定結果に基づいて、受信した決済金額を更新する。具体的には、決済金額更新部４３３は、使用ポイントが有効であると有効性判定部４３２が判定すると、受信した使用ポイントに基づいて決済金額を更新する。例えば、決済金額更新部４３３は、使用ポイントを金額とみなし、決済金額から受信した使用ポイントを減額することにより決済金額を更新する。決済金額更新部４３３は、更新した決済金額を決済処理装置１に送信する。決済金額更新部４３３は、使用ポイントが無効であると有効性判定部４３２が判定すると、受信した決済金額を更新せずに、当該決済金額を決済処理装置１に送信する。
【００５４】
ポイント更新部４３４は、決済処理装置１から、決済金額の決済が完了し、支払が完了したことを示す情報を受信すると、第２ユーザＩＤに関連付けられているポイントを更新する。例えば、ポイント更新部４３４は、ポイントの有効性の判定の際に決済処理装置１から受信した第２ユーザＩＤに対応するポイントから、受信した使用ポイントを減算することにより、第２ユーザＩＤに対応するポイントを更新する。なお、ポイント更新部４３４は、ポイントの有効性の判定の際に決済処理装置１から受信した決済金額に基づいて、ユーザに付与するポイントを算出し、算出したポイントを、第２ユーザＩＤに対応するポイントに加算してもよい。
【００５５】
［制御部１３の各部の動作］
続いて、制御部１３の各部の動作について説明する。
ポイント情報送信部１３１は、ユーザ端末２から、第１ユーザＩＤを受信し、受信した第１ユーザＩＤに関連付けられている第２ユーザＩＤに対応するポイントを取得し、取得したポイントをユーザ端末２に送信する。
【００５６】
具体的には、まず、ポイント情報送信部１３１は、ユーザ端末２から、第１ユーザＩＤと、第２ユーザＩＤに対応する事業者ＩＤと、ポイント情報の取得要求とを受信する。ポイント情報送信部１３１は、記憶部１２に記憶されているユーザ連携情報を参照し、受信した第１ユーザＩＤと事業者ＩＤとに関連付けられている第２ユーザＩＤを特定する。ポイント情報送信部１３１は、特定した第２ユーザＩＤを含み、ポイント情報の取得要求を、受信した事業者ＩＤに対応するポイント管理装置４に送信する。そして、ポイント情報送信部１３１は、ポイント管理装置４から、特定した第２ユーザＩＤに関連付けられているポイントを示すポイント情報を受信する。ポイント情報送信部１３１は、ポイント情報をユーザ端末２に送信する。
【００５７】
なお、ポイント情報送信部１３１は、ユーザ端末２から、ポイント情報の取得要求の受信時に、第２ユーザＩＤに対応する事業者ＩＤを受信しなくてもよい。この場合、ポイント情報送信部１３１は、記憶部１２に記憶されているユーザ連携情報を参照し、受信した第１ユーザＩＤに関連付けられている第２ユーザＩＤ及び事業者ＩＤを特定する。ポイント情報送信部１３１は、特定した第２ユーザＩＤを含み、ポイント情報の取得要求を、特定した一以上の事業者ＩＤのそれぞれに対応するポイント管理装置４に送信する。そして、ポイント情報送信部１３１は、一以上のポイント管理装置４から、特定した第２ユーザＩＤに関連付けられているポイントを示すポイント情報を受信する。ポイント情報送信部１３１は、ポイント情報をユーザ端末２に送信する。この場合、ユーザ端末２において、事業者ＩＤと、当該事業者ＩＤに対応するポイントのうち、使用ポイントを選択するものとする。
【００５８】
発行要求取得部１３２は、ユーザ端末２から、ポイント情報が示すポイントのうち、ユーザが使用するポイントである使用ポイントと、ユーザ端末２のユーザの第１ユーザＩＤと、ユーザ端末２のユーザが店舗で決済するための決済用コードの発行要求とを取得する。
【００５９】
トークン送信部１３３は、発行要求取得部１３２が決済用コードの発行要求を取得すると、決済用コードを生成するための決済用トークンを生成する。トークン送信部１３３は、発行要求取得部１３２が取得した第１ユーザＩＤと、使用ポイントと、生成した決済用トークンとを関連付けて記憶部１２に記憶させる。また、トークン送信部１３３は、生成した決済用トークンを、決済用コードの発行要求を送信したユーザ端末２に送信する。
【００６０】
決済用情報受信部１３４は、トークン送信部１３３が送信した決済用トークンに基づいてユーザ端末２が表示した決済用コードを読み取った店舗端末３から、決済用トークンと、店舗ＩＤと、ユーザの店舗における決済金額とを含む決済要求を受信する。
【００６１】
決済処理部１３５は、店舗端末３から受信した決済金額及び店舗ＩＤと、店舗端末３から受信した決済用トークンに対応する第１ユーザＩＤと、使用ポイントとに基づいて決済を実行する。
【００６２】
具体的には、決済処理部１３５は、決済用情報受信部１３４が決済要求を受信すると、当該決済要求に含まれる決済用トークンと一致する決済用トークンが記憶部１２に記憶されているか否かを判定する。決済処理部１３５は、一致する決済用トークンが記憶部１２に記憶されていると判定すると、当該決済用トークンに関連付けられて記憶部１２に記憶されている使用ポイントと、第１ユーザＩＤとを取得する。
【００６３】
決済処理部１３５は、記憶部１２に記憶されているユーザ連携情報を参照し、取得した第１ユーザＩＤに関連付けられている第２ユーザＩＤを特定する。そして、決済処理部１３５は、取得した使用ポイントと、特定した第２ユーザＩＤと、受信した決済要求に含まれている決済金額とをポイント管理装置４に送信し、当該使用ポイントが有効であるか否かを問い合わせる。また、決済処理部１３５は、店舗端末３から受信した店舗ＩＤや決済日時を示す情報をポイント管理装置４にさらに送信し、これらの情報に基づいて、使用ポイントが有効であるか否かをポイント管理装置４に問い合わせてもよい。
【００６４】
決済処理部１３５は、第２ユーザＩＤに対応する事業者ＩＤと、店舗端末３から受信した店舗ＩＤとの関係に基づいて、受信した店舗ＩＤに対応する店舗で使用ポイントが使用可能であるか否かを判定してもよい。例えば、記憶部１２に、事業者ＩＤと、当該事業者ＩＤの事業者のポイントを使用可能な店舗の店舗ＩＤとを関連付けた情報を記憶させておき、決済処理部１３５が、店舗端末３から受信した店舗ＩＤと、第２ユーザＩＤに対応する事業者ＩＤとが関連付けられている場合に、使用ポイントが使用可能であると判定してもよい。決済処理部１３５は、使用ポイントが使用可能であると判定した場合に、使用ポイントが有効であるか否かをポイント管理装置４に問い合わせてもよい。
【００６５】
決済処理部１３５は、使用ポイントが有効であるとポイント管理装置４が判定した場合、使用ポイントが適用された決済金額をポイント管理装置４から受信する。決済処理部１３５は、使用ポイントが無効であるとポイント管理装置４が判定した場合、使用ポイントが適用されなかった決済金額、すなわち、ポイント管理装置４に送信した決済金額と同じ金額の決済金額をポイント管理装置４から受信する。なお、決済処理部１３５は、ポイント管理装置４から決済金額を受信したが、これに限らない。決済処理部１３５は、有効性の判定結果を受信し、判定結果に基づいて決済金額から使用ポイントを減算するか否かを決定してもよい。例えば、決済処理部１３５は、使用ポイントが有効であるとの判定結果を受信した場合に、決済金額から使用ポイントを減算してもよい。
【００６６】
決済処理部１３５は、ポイント管理装置４から受信した決済金額を、取得した第１ユーザＩＤで特定されるユーザの口座から引き落とす処理を実行する。また、決済処理部１３５は、決済要求に含まれる店舗ＩＤで特定される店舗の口座にポイント管理装置４から受信した決済金額を入金する処理を実行する。決済処理部１３５は、決済金額から、決済処理装置１における決済手数料を差し引いた金額を、店舗の口座に入金してもよい。決済処理部１３５は、決済金額の決済が完了した場合、支払いが完了したことをユーザ端末２及び店舗端末３に通知する。また、決済処理部１３５は、決済金額の決済が完了した場合、支払が完了したことをポイント管理装置４にも送信する。
【００６７】
［動作シーケンス］
図７は、第１実施形態に係る決済システムＳの動作シーケンス図である。図８は、図７に続く動作シーケンス図である。
図７に示すシーケンス図は、ユーザがユーザ端末２においてポイント情報の表示操作をしたところから開始している（Ｓ１）。要求送信部２５２は、第１ユーザＩＤと、ユーザが使用を予定する第２ポイントに対応する事業者ＩＤと、ポイント情報の取得要求とを決済処理装置１に送信する（Ｓ２）。
【００６８】
決済処理装置１のポイント情報送信部１３１は、第１ユーザＩＤと、事業者ＩＤと、ポイント情報の取得要求とを受信すると、記憶部１２に記憶されているユーザ連携情報を参照し、受信した第１ユーザＩＤ及び事業者ＩＤに関連付けられている第２ユーザＩＤを特定する（Ｓ３）。ポイント情報送信部１３１は、特定した第２ユーザＩＤを含み、ポイント情報の取得要求を、受信した事業者ＩＤに対応するポイント管理装置４に送信する（Ｓ４）。
【００６９】
ポイント管理装置４のポイント特定部４３１は、決済処理装置１から、ポイント情報の取得要求を受信すると、ポイントＤＢを参照して、ポイント情報の取得要求に含まれている第２ユーザＩＤに関連付けられているポイントを特定する（Ｓ５）。ポイント特定部４３１は、特定したポイントを示すポイント情報を決済処理装置１に送信する（Ｓ６）。
決済処理装置１のポイント情報送信部１３１は、ポイント管理装置４から受信したポイント情報をユーザ端末２に送信する（Ｓ７）。
【００７０】
ユーザ端末２の操作受付部２５１は、通信部２２が決済処理装置１から受信したポイント情報を表示部２３に表示させ、ユーザから使用ポイントを受け付ける（Ｓ８）。
その後、ユーザ端末２が店舗に移動し、ユーザがユーザ端末２において決済用コードの表示操作をすると（Ｓ９）、要求送信部２５２は、第１ユーザＩＤと、ユーザ端末２が受け付けた使用ポイントと、決済用コードの発行要求とを決済処理装置１に送信する（Ｓ１０）。
【００７１】
決済処理装置１の発行要求取得部１３２が、ユーザ端末２から、第１ユーザＩＤと、使用ポイントと、決済用コードの発行要求とを取得すると、トークン送信部１３３は、決済用コードを生成するための決済用トークンを生成する（Ｓ１１）。トークン送信部１３３は、使用ポイントと、第１ユーザＩＤと、生成した決済用トークンとを関連付けて記憶部１２に記憶させる（Ｓ１２）。トークン送信部１３３は、生成した決済用トークンを、決済用コードの発行要求を送信したユーザ端末２に送信する（Ｓ１３）。
【００７２】
図８に説明を移す。ユーザ端末２のコード生成部２５３は、決済処理装置１から受信した決済用トークンに基づく決済用コードを生成し、生成した決済用コードを表示部２３に表示させる（Ｓ１４）。ユーザが店舗において、ユーザ端末２に表示された決済用コードを提示し、店舗端末３の読取部３２が決済用コードを読み取る（Ｓ１５）。
【００７３】
また、店舗端末３の決済用情報生成部３６１は、操作部３１において店員が入力した商品ＩＤ又は読取部３２が商品に付されたバーコードから読み取った商品ＩＤに基づいて商品の価格を特定し、決済金額を算出する（Ｓ１６）。店舗端末３の決済用情報送信部３６３は、Ｓ１６において算出された決済金額、Ｓ１５において読み取られた決済用コードに含まれている決済用トークン、及び店舗ＩＤを含む決済要求を決済処理装置１に送信する（Ｓ１７）。
【００７４】
続いて、決済処理装置１の決済用情報受信部１３４は、店舗端末３から、決済用トークンと、店舗ＩＤと、決済金額とを含む決済要求を受信する。決済処理部１３５は、記憶部１２に記憶されている決済用トークンと、受信した決済用トークンが一致する場合に、当該決済用トークンと関連付けられている第１ユーザＩＤ及び使用ポイントを取得する（Ｓ１８）。続いて、決済処理部１３５は、記憶部１２に記憶されているユーザ連携情報を参照し、特定した第１ユーザＩＤと関連付けられている第２ユーザＩＤを特定する（Ｓ１９）。
【００７５】
決済処理部１３５は、特定した第２ユーザＩＤと、取得した使用ポイントと、受信した決済要求に含まれている決済金額とをポイント管理装置４に送信し、当該使用ポイントが有効であるか否かを問い合わせる（Ｓ２０）。
【００７６】
続いて、ポイント管理装置４の有効性判定部４３２は、決済処理装置１から第２ユーザＩＤと、使用ポイントと、決済金額とを受信すると、受信した使用ポイントが有効であるか否かを判定する（Ｓ２１）。決済金額更新部４３３は、有効性判定部４３２の判定結果に基づいて、受信した決済金額を更新し（Ｓ２２）、更新した決済金額を決済処理装置１に送信する（Ｓ２３）。
【００７７】
続いて、決済処理装置１の決済処理部１３５は、受信した決済要求に含まれる店舗ＩＤと、第１ユーザＩＤと、ポイント管理装置４から受信した決済金額とに基づいて決済処理を行う（Ｓ２４）。
【００７８】
［変形例］
以上の説明においては、決済処理装置１は、店舗端末３から決済要求を受信した後、決済金額をポイント管理装置４に送信し、ポイント管理装置４により更新された決済金額を受信し、更新された決済金額に基づいて決済を行ったが、これに限らない。例えば、店舗端末３が、決済金額をポイント管理装置４に送信し、ポイント管理装置４により更新された決済金額を受信してもよい。そして、店舗端末３が、ポイント管理装置４により更新された決済金額を含む決済要求を決済処理装置１に送信してもよい。
【００７９】
図９は、第１実施形態の変形例に係る決済システムＳの動作シーケンス図である。図９に示すシーケンスは、図７に続くものであるものとする。
トークン送信部１３３は、生成した決済用トークンと、使用ポイントと、第２ユーザＩＤとを、ポイント管理装置４に送信する（Ｓ３０）。ポイント管理装置４の制御部４３は、受信した決済用トークンと、使用ポイントと、第２ユーザＩＤとを関連付けて記憶部４２に記憶させる。
【００８０】
ユーザ端末２のコード生成部２５３は、決済処理装置１から受信した決済用トークンに基づく決済用コードを生成し、生成した決済用コードを表示部２３に表示させる（Ｓ３１）。ユーザが店舗において、ユーザ端末２に表示された決済用コードを提示し、店舗端末３の読取部３２が決済用コードを読み取る（Ｓ３２）。店舗端末３の決済用情報生成部３６１は、Ｓ１６と同様に、決済金額を算出する（Ｓ３３）。決済用情報生成部３６１は、ポイント管理装置４に、算出した決済金額と、決済用トークンとを送信する（Ｓ３４）。
【００８１】
有効性判定部４３２は、決済処理装置１から受信し、記憶部４２に記憶されている決済用トークンと、店舗端末３から受信した決済用トークンとが一致しているか否かを判定する。有効性判定部４３２は、決済用トークンが一致していると判定した場合に、決済処理装置１から受信し、当該決済用トークンと関連付けられて記憶部４２に記憶されている第２ユーザＩＤ及び使用ポイントと、店舗端末３から受信した決済金額とに基づいて、受信した使用ポイントが有効であるか否かを判定する（Ｓ３５）。
【００８２】
決済金額更新部４３３は、有効性判定部４３２の判定結果に基づいて、受信した決済金額を更新し（Ｓ３６）、更新された決済金額を店舗端末３に送信する（Ｓ３７）。
店舗端末３の決済用情報生成部３６１は、ポイント管理装置４から、更新された決済金額を受信すると、当該決済金額と、決済用トークンと、店舗ＩＤとを含む決済要求を決済処理装置１に送信する（Ｓ３８）。
【００８３】
続いて、決済処理装置１の決済用情報受信部１３４は、店舗端末３から、決済用トークンと、店舗ＩＤと、決済金額とを含む決済要求を受信する。決済処理部１３５は、記憶部１２に記憶されている決済用トークンと、受信した決済用トークンが一致する場合に、当該決済用トークンと関連付けられている第１ユーザＩＤを取得する（Ｓ３９）。続いて、決済処理装置１の決済処理部１３５は、受信した決済要求に含まれる店舗ＩＤ及び決済金額と、取得した第１ユーザＩＤとに基づいて決済処理を行う（Ｓ４０）。
【００８４】
［第１実施形態に係る決済システムＳによる効果］
以上説明したように、第１実施形態に係る決済処理装置１は、第１ユーザＩＤに関連付けられている第２ユーザＩＤに対応する特典を取得し、取得した特典をユーザ端末２に送信し、ユーザ端末２から、ユーザが使用する特典である使用特典と、第１ユーザＩＤと、ユーザが店舗で決済するための決済用コードの発行要求とを受信する。決済処理装置１は、決済用コードの発行要求を受信すると、決済用コードを生成するための決済用トークンをユーザ端末２に送信し、決済用トークンに基づいてユーザ端末２が表示した決済用コードを読み取った店舗端末３から、決済用トークンと、ユーザの店舗における決済金額とを受信し、当該決済金額と、店舗端末３から受信した決済用トークンに対応する第１ユーザＩＤと、使用特典とに基づいて決済を実行する。このようにすることで、決済処理装置１は、会計時におけるユーザの作業負荷を軽減することができる。
【００８５】
＜第２実施形態＞
［ポイントを付与する事業者が提供するアプリケーションソフトウェアを起動してコード決済を行う］
続いて、第２実施形態に係る決済システムＳを説明する。第２実施形態に係る決済システムＳは、ユーザ端末２が、ポイントを付与する事業者が提供するアプリケーションソフトウェアを起動してコード決済を行う点で第１実施形態と異なる。以下、第２実施形態について、動作シーケンスを交えながら説明する。なお、第１実施形態と同じ部分については適宜説明を省略する。
【００８６】
図１０は、第２実施形態に係る決済システムＳの動作シーケンス図である。図１０に示すシーケンス図は、ユーザがユーザ端末２においてポイントを付与する事業者が提供するアプリケーションソフトウェアを起動させ、ポイント情報の表示操作をしたところから開始している（Ｓ１０１）。要求送信部２５２は、第２ユーザＩＤと、ポイント情報の取得要求とをポイント管理装置４に送信する（Ｓ１０２）。
【００８７】
ポイント管理装置４のポイント特定部４３１は、ユーザ端末２からポイント情報の取得要求を受信すると、ポイントＤＢを参照して、受信した第２ユーザＩＤに関連付けられているポイントを特定する（Ｓ１０３）。ポイント特定部４３１は、特定したポイントを示すポイント情報をユーザ端末２に送信する（Ｓ１０４）。
【００８８】
ユーザ端末２の操作受付部２５１は、通信部２２がポイント管理装置４から受信したポイント情報を表示部２３に表示させ、ユーザから使用ポイントを受け付ける（Ｓ１０５）。
その後、ユーザ端末２が店舗に移動し、ユーザがユーザ端末２において決済用コードの表示操作をすると（Ｓ１０６）、要求送信部２５２は、第２ユーザＩＤと、ユーザ端末２が受け付けた使用ポイントと、決済用コードの発行要求とを決済処理装置１に送信する（Ｓ１０７）。なお、要求送信部２５２は、第２ユーザＩＤと、ユーザ端末２が受け付けた使用ポイントと、決済用コードの発行要求とを、ポイント管理装置４を介して決済処理装置１に送信してもよい。また、要求送信部２５２は、第２ユーザＩＤとともに、第１ユーザＩＤを決済処理装置１に送信してもよい。
【００８９】
決済処理装置１の発行要求取得部１３２は、ユーザ端末２から、第２ユーザＩＤと、使用ポイントと、決済用コードの発行要求とを取得する。決済処理装置１のトークン送信部１３３は、ユーザ連携情報を参照し、受信した第２ユーザＩＤに関連付けられている第１ユーザＩＤを特定する（Ｓ１０８）。また、トークン送信部１３３は、受信した第２ユーザＩＤに関連付けられている第１ユーザＩＤが特定されたことを条件として、決済用トークンを生成する（Ｓ１０９）。トークン送信部１３３は、特定した第１ユーザＩＤと、使用ポイントと、生成した決済用トークンとを関連付けて記憶部１２に記憶させる（Ｓ１１０）。トークン送信部１３３は、生成した決済用トークンを、決済用コードの発行要求を送信したユーザ端末２に送信する（Ｓ１１１）。
【００９０】
その後、決済用情報受信部１３４は、決済用トークンに基づいてユーザ端末２が表示した決済用コードを読み取った店舗端末３から、決済用トークンと、ユーザの店舗における決済金額と店舗ＩＤとを受信する。そして、決済処理部１３５は、決済用トークンに関連付けられて記憶されている、ユーザ端末２から受信した第２ユーザＩＤに関連付けられている第１ユーザＩＤ、及びユーザ端末２から受信した使用ポイントと、店舗端末３から受信した決済金額及び店舗ＩＤとに基づいて決済を実行する。これらの処理の詳細は、図８に示す処理と同じであるので説明を省略する。
【００９１】
［第２実施形態に係る決済システムＳによる効果］
以上説明したように、第２実施形態に係る決済処理装置１は、ユーザ端末２から、第１ユーザＩＤに関連付けられている第２ユーザＩＤと、第２ユーザＩＤに対応するユーザが使用する特典である使用特典と、ユーザが店舗で決済するための決済用コードの発行要求とを受信すると、ユーザ端末２に、決済用コードを生成するための決済用トークンを送信する。決済処理装置１は、当該決済用トークンに基づいてユーザ端末２が表示した決済用コードを読み取った店舗端末３から、決済用トークンと、ユーザの店舗における決済金額とを受信すると、ユーザ端末２から受信した第２ユーザＩＤに関連付けられている第１ユーザＩＤと、ユーザ端末２から受信した使用特典と、店舗端末３から受信した決済金額とに基づいて決済を実行する。このようにすることで、決済処理装置１は、第１実施形態に係る決済処理装置１と同様に、会計時におけるユーザの作業負荷を軽減することができる。
【００９２】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００９３】
１  決済処理装置
２  ユーザ端末
３  店舗端末
４  ポイント管理装置
１１  通信部
１２  記憶部
１３  制御部
２１  操作部
２２  通信部
２３  表示部
２４  記憶部
２５  制御部
３１  操作部
３２  読取部
３３  通信部
３４  表示部
３５  記憶部
３６  制御部
４１  通信部
４２  記憶部
４３  制御部
１３１  ポイント情報送信部
１３２  発行要求取得部
１３３  トークン送信部
１３４  決済用情報受信部
１３５  決済処理部
２５１  操作受付部
２５２  要求送信部
２５３  コード生成部
３６１  決済用情報生成部
３６２  トークン生成部
３６３  決済用情報送信部
４３１  ポイント特定部
４３２  有効性判定部
４３３  決済金額更新部
４３４  ポイント更新部
【図１】
0006986108.tif 000002
【図２】
0006986108.tif 000003
【図３】
0006986108.tif 000004
【図４】
0006986108.tif 000005
【図５】
0006986108.tif 000006
【図６】
0006986108.tif 000007
【図７】
0006986108.tif 000008
【図８】
0006986108.tif 000009
【図９】
0006986108.tif 000010
【図１０】
0006986108.tif 000011